(57)【要約】【課題】家具と天井の間に介装されて転倒防止機能及び収納機能を発揮する家具用転倒防止具について、家具上方の隙間が狭い場合でも見栄えを損なうことなく容易に設置できるようにする。【解決手段】家具と天井の間に形成された上下幅２４ｃｍ以下の隙間に配置され、当接板６が昇降機構で天井１００に近接又は当接した状態とされて転倒防止機能を発揮し、底板２の左右両端側に立設した側板４ａ,４ｂの間に形成されて開口端に扉板３を設けてなる収納室２０を有して収納機能を発揮するものとされ、収納室２０は開口端から少なくとも前後方向中央位置まで上方が開放され、扉板３が下端側を底板２に蝶番部材で蝶着されて下向きに開く方式とされており、扉板３を開いた状態で収納室２０内に手を挿入して昇降機構を構成するナット状部材６１を操作することで、当接板６が昇降動作してその高さ調整が行われるものとした。【選択図】図１
2015073656.tif 000002
【特許請求の範囲】
【請求項１】
家具上面と天井面の間に形成された上下幅２４ｃｍ以下の隙間に配置され、所定の昇降機構により当接板が天井面に近接又は当接した状態とされて地震の際に転倒防止機能を発揮するとともに、家具上面に載せる底板の左右両端側に立設された対の側板の間に形成され前方の開口端に開閉扉を設けてなる収納室を有して収納機能を発揮する家具用転倒防止具において、
前記収納室は、前記開口端から少なくとも前後方向中央位置まで上方が開放されており、前記開閉扉は扉板がその下端側を前記底板の前記開口端側に蝶番部材で蝶着されて下向きに開く下開き方式とされ、且つ、前記昇降機構は前記収納室の奥側に配置されており、前記開閉扉を開いた状態で前記開口端から前記収納室内に手を挿入して前記昇降機構を操作することにより、前記当接板が昇降動作してその高さ調整が行われる、ことを特徴とした家具用転倒防止具。
【請求項２】
前記昇降機構は、前記収納室の奥側で前記対の側板を左右に渡して設けた架設板の少なくとも左右両端側で各々縦向きに設けられたボルト状部材の上端側にて前記当接板を支持してなり、前記ボルト状部材に螺着したナット状部材を所定の手段で回動させることで前記当接板の昇降操作を行うものとされている、ことを特徴とする請求項１に記載した家具用転倒防止具。
【請求項３】
前記側板の開口端寄り所定位置及びこれに対応する前記扉板の所定位置には、前記開閉扉を閉鎖状態で固定するためのロック機構が設けられている、ことを特徴とする請求項１又は２に記載した家具用転倒防止具。
【請求項４】
前記ロック機構は、ロック及びロック解除するための操作ボタンが前記扉板の前面に露出しており、前記操作ボタンが前記前面から突出した状態で扉開閉用のツマミを兼ねるものとされている、ことを特徴とする請求項３に記載した家具用転倒防止具。
【発明の詳細な説明】
【技術分野】
【０００１】
本発明は、家具用転倒防止具に関し、殊に、タンスや食器棚など比較的背の高い家具と天井の間に介装され、地震の際に家具の転倒を防止する転倒防止具に関する。
【背景技術】
【０００２】
タンスや食器棚のように前後幅が小さく縦方向に大きな家具類は、地震の際に転倒して居住者に怪我を負わせる可能性が高いことから、斯かる転倒事故を防止するための転倒防止具が多数開発されている。例えば、家具上面と天井面の間に介装することで家具を上から押さえつけて前方に転倒するのを防止する棒状の器具が周知である。
【０００３】
この転倒防止具は、一般につっぱり棒を呼ばれるものであるが、家具上面と天井面との間の距離に応じて長さの調整が可能であり、様々な状況に対応しながら簡易な手順で装着できる点を特徴としている。しかし、家具の上方で棒状の部材が複数本露出するために見栄えが悪いとともに、強い揺れにより脱落しやすいという難点がある。
【０００４】
一方、家具と天井の間に形成される隙間を埋めるように、家具の前面及び左右側面に対してほぼ面一の状態で配置され、優れた耐震機能を発揮するフィラータイプの転倒防止具も知られている。しかし、この転倒防止具は家具の上方を完全に塞ぐ構成であることからその部分を収納に使用できないため、空間の有効活用の点で難点がある。
【０００５】
そこで、特開平８−１５００３７号公報や特開２００７−１４３７６７号公報に記載されているように、家具上面に配置する収納ボックスタイプの転倒防止具が提案されている。これらの転倒防止具は、天板又は天板上方に配置した当接板が昇降可能に設けられており、これらを手動操作で上下動させながら天井面に近接又は当接した状態で固定することにより転倒防止機能を発揮し、且つ、収納開口部に開閉扉を有していることで、家具の見栄えを損なわずに優れた収納機能を発揮することができる。
【０００６】
しかしながら、その開閉扉は扉板を左右の側板に蝶着してなる観音開き方式を採用していることから、収納室の左右幅が大きい場合には、２枚の扉板の蝶着強度を確保することが難しく、強度確保のために扉板１枚あたり蝶番部材を上下２箇所設けるには配置スペースが不充分であり、配置できたとしてもコスト高を招きやすい。そのため、家具上面と天井面との間が２４ｃｍ以下になるような狭い隙間に対応した製品は提供されていないのが現状である。
【０００７】
このような狭い隙間に対応する手段として、扉板を横長の１枚板とし、これを天板側に蝶着して上下に開閉させる方式も考えられるが、当初から上下幅の狭い収納室開口部が、扉の開放時に天板及びこれに設けた扉板の厚みで一層狭くなるため、収納機能を損ないやすいことに加え開口部から収納室奥側に手を挿入して行う高さ調整作業が困難な状況となりやすい。
【先行技術文献】
【特許文献】
【０００８】
【特許文献１】特開平８−１５００３７号公報
【特許文献２】特開２００７−１４３７６７号公報
【発明の概要】
【発明が解決しようとする課題】
【０００９】
本発明は、上記のような問題を解決しようとするものであり、家具と天井の間に介装されて転倒防止機能及び収納機能を発揮する家具用転倒防止具について、家具上方の隙間が狭い場合でも、見栄えを損なうことなく容易に設置できるようにすることを課題とする。
【課題を解決するための手段】
【００１０】
そこで、本発明は、家具上面と天井面の間に形成された上下幅２４ｃｍ以下の隙間に配置され、所定の昇降機構により当接板が天井面に近接又は当接した状態とされて地震の際に転倒防止機能を発揮するとともに、家具上面に載せる底板の左右両端側に立設された対の側板の間に形成され前方の開口端に開閉扉を設けてなる収納室を有して収納機能を発揮する家具用転倒防止具において、その収納室は前記開口端から少なくとも前後方向中央位置まで上方が開放されており、その開閉扉は扉板がその下端側を前記底板の開口端側に蝶番部材で蝶着されて下向きに開く下開き方式とされ、且つ、その昇降機構は収納室の奥側に配置されており、開閉扉を開いた状態で前記開口端から収納室内に手を挿入して昇降機構を操作することにより、前記当接板が昇降動作してその高さ調整が行われることを特徴とするものとした。
【００１１】
上述したように、家具上面から天井面までの隙間が狭い状況では、収納室の内部を隠す扉板を観音開き式に設けることが困難であり、扉板を天板側に蝶着する上開き式にした場合でも、天板と扉板があることで収納室の開口端の上下幅が実質的に狭くなってしまい、収納作業が行いにくくなるとともに収納室奥側にある昇降機構の操作部まで手を挿入して操作することが困難となりやすい。これに対し、本発明において扉板を底板に蝶着した下開き式を採用したことで、開閉扉を開いた状態で開口端の上方が開放して上下に広く使えることから、収納が行いやすくなるとともに当接板の高さ調整も行いやすくなるため、その設置作業は極めて容易なものとなる。
【００１２】
また、上述した家具用転倒防止具において、その昇降機構は、収納室の奥側で前記対の側板を左右に渡して設けた架設板の少なくとも左右両端側で各々縦向きに設けられたボルト状部材の上端側にて前記当接板を支持してなり、そのボルト状部材に螺着したナット状部材を所定の手段で回動させることで当接板の昇降操作を行うものとされている、ことを特徴としたものとすれば、簡易な構成でありながら容易な昇降操作と当接板の高さ位置の固定を実現することができる。
【００１３】
さらに、上述した家具用転倒防止具において、前記側板の開口端寄り所定位置及びこれに対応する扉板の所定位置には、開閉扉を閉鎖状態で固定するためのロック機構が設けられていることを特徴としたものとすれば、地震の揺れで開閉扉が不意に開いて収納室内の物品が落下することを回避できるものとなる。
【００１４】
この場合、そのロック機構は、ロック及びロック解除するための操作ボタンが扉板の前面に露出しており、この操作ボタンが前記前面から突出した状態で扉開閉用のツマミを兼ねるものとされている、ことを特徴としたものとすれば、開閉扉の開閉操作と同時にロック操作及びロック解除操作が行えるものとなる。
【発明の効果】
【００１５】
扉板を底板に蝶着して下開き式にした本発明によると、家具上方の隙間が狭い場合でも、見栄えを損なうことなく容易に設置できるものである。
【図面の簡単な説明】
【００１６】
【図１】本発明における実施の形態である家具用転倒防止具の設置状態を示す縦断面図である。
【図２】図１の家具用転倒防止具の正面図である。
【図３】図２の家具用転倒防止具の開閉扉を閉じた状態を示す正面図である。
【図４】図２の家具用転倒防止具の当接板を下降させた状態を示す正面図である。
【図５】図１の家具用転倒防止具の装着作業を行っている状態を示す縦断面図である。
【発明を実施するための形態】
【００１７】
以下に、図面を参照しながら本発明を実施するための形態を説明する。
【００１８】
図１は、本実施の形態である家具用転倒防止具１を食器棚２００の上面と天井１００の間に配置・介装した状態の縦断面図を示し、図２はその家具用転倒防止具１の正面図を示している。この家具用転倒防止具１は、家具の上面と天井面との間が２４ｃｍ以下になるような状況において使用することを想定したものであり、ボルト状部材６０を用いた昇降機構と収納室２０を備えているとともに、家具上方の隙間が狭い場合でも優れた転倒防止機能及び収納機能を発揮するようになっている。
【００１９】
斯かる家具用転倒防止具１は、家具上面の左右幅・前後幅に対しほぼ同サイズに形成した底板２の左右両端側に、底板２とほぼ同じ前後幅を有した側板４ａ，４ｂが立設されており（図２参照）、この側板４ａ，４ｂの奥側所定高さ位置でこれらを左右に渡すように横長の架設板５が架設されており、その左右両端側部分で挿通孔５１，５１が縦方向に穿設されている。
【００２０】
その挿通孔５１，５１を上下に挿通してボルト状部材（スタッドボルト）６０，６０が配設されており、その両上端側では杯状の金具を介して架設板５とほぼ同じ長さの当接板６を支持しているとともに、ボルト状部材６０，６０の中程に螺着したナット状部材６１，６１が架設板５の上面に載った状態とされ、そのナット状部材６１，６１をスパナ等の工具で回すことで当接板が上下動するようになっており、これらで当接板６の昇降機構を構成している。
【００２１】
また、本実施の形態では側板４ａ，４ｂと底板２で囲まれた部分の前方側の開口端を塞ぐように、１枚板からなる横長の扉板３が下端側を蝶着されて開閉扉を構成している。そして、側板４ａ，４ｂと扉板３で形成された内側部分が物品を収納する収納室２０となっているが、その上端側は天板で塞がれずに開放されているため、収納室２０による収納空間は実質的に天井１００の下面まで拡大されている。尚、前述した扉板３は、その左右幅が８０ｃｍ程度までの場合は１枚板でも良いが、これよりも大きい場合は扉板を長手方向２枚以上に分けて各々独立して開閉可能とした方が利便性に優れたものとなる。
【００２２】
さらに、この開閉扉を構成している扉板３は、その下端側を底板２の開口端寄りの部分に蝶番部材７，７で螺着されて水平位置まで下向きに開くようになっているが、このように下開き式の開閉扉とした点が本発明における特徴部分となっている。即ち、収納ボックス式の家具用転倒防止具を配置する際に、家具と天井の隙間がある程度広い場合はその開閉扉を左右に開く観音開き式や天板に蝶着した上開き式にしても良いが、本実施の形態のように家具上方の隙間が極めて狭い場合は、蝶番部材の配置及び昇降機構の操作性等の観点で問題が生じてその方式を採用しにくいため、前述のような下開き式の開閉扉としたものである。
【００２３】
これにより、その収納室２０は天板が不要となって上方が開放したものとなり、且つ、扉板３がその内側面を底板２上面に対しほぼ面一になるまで開く構成としたことから、その開口端の上下幅が底板２上面から天井１００下面までの距離とほぼ一致した大きなものとなるため、収納室２０の入り口がより広く使えて収納物の収納が容易に行えるとともに、収納室２０奥側に配置した昇降機構の操作も容易に行えるものとなる。
【００２４】
尚、本実施の形態においては、収納室２０に天板のない構成としたことでその上端側のほぼ総てが開放されたものとなっているが、収納室２０の少なくとも前後方向中央位置まで開放されていれば、その奥側に天板を備えたものであっても前述とほぼ同様の効果を発揮することができ、前後方向３分の２以上開放されていれば充分なる収納力を発揮することができる。また、底板２は、図１に示したようにジョイントボルト８等の固定手段で家具上面に固定しておくことが耐震性確保の観点から好ましい。
【００２５】
図３は、家具用転倒防止具１の扉板３を閉じた状態を示しているが、本実施の形態においては、この閉鎖位置でロックをかけられるようになっている。即ち、再度図１を参照して、側板４ａ内側面の開口端寄りに鈎状の係止部材３２が配置され、これに対応する扉板３内側面位置には係止部材３２に係合する突起を有したロック部材３１が設けられており、これらでロック機構を構成している。
【００２６】
このロック機構では、ロック部材３１から扉板３を貫通して表面側に突出したツマミ状の操作ボタン３３を指で押圧して押し込み位置にすることで、ロック部材３１から側方に突出し係止部材３２に係止している図示しない突起が固定されて扉板３の閉鎖状態を維持（ロック）するようになっており、操作ボタン３３を再度押し込むことでこれが突出位置に戻るとともに閉鎖状態が解除されるようになっている。
【００２７】
このように操作ボタン３３を操作して開閉扉をロック状態にしておくことで、地震の際に開閉扉が不意に開いて収納室２０内の物品が落下する事態を回避することができる。また、この操作ボタン３３はロックを解除した突出状態で扉を開閉する際に手で摘むツマミとして使用できるため、扉板３の開閉操作と同時にロック操作・ロック解除操作を実施することができる。
【００２８】
図４を参照して、上述した家具用転倒防止具１は、前述した昇降操作を行うことで天井１００に対し当接板６を近接又は当接・押圧して、耐震機能を発揮するものであるが、その当接板６の高さ調整作業はボルト状部材６０に螺着したナット状部材６１を回動させることにより行われ、本実施の形態では架設板５の左右両端寄り位置の上面側に載った２つのボルト状部材６０を手動にて回動させて作業を行う方式を採用している。
【００２９】
即ち、図５の調整作業中の縦断面図に示すように、当接板６を下降位置にした家具用転倒防止具１を食器棚２００の上面に載せ、扉板３を水平位置まで開いた状態で収納室２０内に開口端から手を挿入して、スパナ９０等の工具を用いて左右のナット状部材６１，６１を回し、両ボルト状部材６０を上昇させながら当接板６を天井１００に近接又は当接・押圧させることで調整作業が行われる。
【００３０】
一方、本実施の形態の家具用転倒防止具１を取り外す場合は、前述と逆の手順を実施して当接板６を下降させれば良いが、いずれの作業もナット状部材６１，６１を回すだけの操作であり専門的技術を要しないことから、その着脱作業は誰でも容易に行うことができるとともに、短時間で完了することができる。また、本発明による家具用転倒防止具１は、これを載せる家具の両側面と前面に対しほぼ面一の状態になる構成であることから、前述したフィラータイプの転倒防止具とほぼ同様の外観を呈するものとなるため、見栄えの点においても優れている。
【００３１】
尚、本発明においては、その設置対象となる家具と天井による隙間の最小サイズは、１０ｃｍを想定している。即ち、家具上面側には位置合わせのためのダボを突設することが好ましいところ、本発明による最小の上下幅が手を挿入可能な８ｃｍ程度とすると、この幅に加え前述したダボに装着する作業を行うための２ｃｍ程度の余裕が必要になるからである。
【００３２】
また、上述した本実施の形態において、扉板３を底板２に蝶着している対の蝶番部材７，７は、バネを内蔵して閉鎖位置近くで扉板３を閉鎖方向に付勢するとともに、扉板３を底板２の上面に対しほぼ面一の状態まで開く機能を有したものであるが、この機能に加え、閉鎖方向にゆっくりと付勢するダンパー機能を設けたものとしても良い。
【００３３】
以上、述べたように、家具と天井の間に介装されて転倒防止機能及び収納機能を発揮する家具用転倒防止具について、本発明により、家具上方の隙間が狭い場合であっても、見栄えを損なうことなく容易に設置できるようになった。
【符号の説明】
【００３４】
１  家具用転倒防止具、２  底板、３  扉板、４ａ，４ｂ  側板、５  架設板、６  当接板、７  蝶番部材、２０  収納室、３１  ロック部材、３２  係止部材、３３  操作ボタン、６０  ボルト状部材、６１  ナット状部材、１００  天井、２００  食器棚
【図１】
2015073656.tif 000003
【図２】
2015073656.tif 000004
【図３】
2015073656.tif 000005
【図４】
2015073656.tif 000006
【図５】
2015073656.tif 000007